Podtech/llm-jp-corpus-v4-ja_patent huggingface dataset:
(57)【要約】【課題】本考案はユニットスイング式自動二輪車排気管及びサイレンサー配置を自由化させる事でスタイリング向上、サイレンサーの大型化、容易なタイヤ着脱、バンク角確保など向上を目的とする。【解決手段】本考案は吸気側マフラージョイント本体１外周にＣリングＲ１、Ｒ２を挟み込み排気側マフラージョイント３を被せる事によって、マフラージョイント３及びエキゾーストパイプ８をフレキシブルにし、エンジンＥ１からの揺動を吸収、マフラージョイント３より後方をレイアウト自由とした。【選択図】図２
0003098209.tif 000002
【実用新案登録請求の範囲】
【請求項１】
ユニットスイング式自動二輪車において
前記自動二輪車のエンジンに接続されたエキゾーストパイプに吸、排気それぞれの直径の違う該ジョイントパイプを挿入し回転可能にする事で該ジョイントパイプ後方エキゾーストパイプを上下の広範囲に揺動させ、パワーユニットからの揺動を吸収する事を特徴とする。ユニットスイング式自動二輪車用マフラージョイント。
【考案の詳細な説明】
【０００１】
【考案の属する技術分野】
本考案はユニットスイング式自動二輪車の排気管及びサイレンサー配置の改良に関する。
【０００２】
【従来の技術】
ジャバラやボールジョイントなどといったフレキシブルタイプのパイプジョイントはあるが、その製品のほとんどは４輪車用で動きが固く振動吸収的な製品である。その為よりスムーズに動く製品が望まれている。
【０００３】
【考案が解決しようとする課題】
ユニットスイング式自動二輪車においては、その構造上パワーユニットとフレームがそれぞれ独立した揺動で大きく上下動するため、従来タイプの４輪車用フレキシブルジョイントではユニットスイング式自動二輪車のパワーユニット及びフレームの独立した早く大きい動きに追従しきれない。その為、走行時の操縦性にも影響し耐久性にも問題があった。
【０００４】
【課題を解決するための手段】
当核マフラージョイント本体はピボットシャットを中心として前後左右のいずれかステーでパワーユニットに固定する。パワーユニットから出ている排気管をマフラージョイントの軸となる中心に接続する事により、排気出口となる排気管が（ステーの状態にもよるが）入口排気管を中心とし１８０°以上フリーとなる。本考案品は全部品金属の耐熱仕様からなるパイプ二重管とすることで省スペース化また内側パイプ外周に金属製Ｃリングを入れる事で従来では考えられない程の耐久性及びスムーズな動きを得られた。尚Ｃリングは排気漏れ防止パッキンの役割もしている。
以上の事で問題点を解決している。
【０００５】
【考案の実施の形態】
吸気側マフラージョイントエキゾーストパイプをパワーユニット排気ポートに接続する。マフラージョイント本体をピボットシャフトを中心として出来る限り同一線上、もしくはピボットシャフトと平行になるように取り付けステーでパワーユニット本体に固定する。排気側マフラージョイントエキゾーストパイプの固定は、当核マフラージョイントの性格上、バネ、もしくは振動吸収用ゴム等でフローティングマウントとする事で揺動可能となる。
【０００６】
【実施例】
以下、添付図面に従って一実施例を説明する。
第１図は、本考案に係るユニットスイング式自動二輪車用マフラージョイントの取り付け側面図である。車体フレームＦ１にピボットボルトＰ１によって固定されているエンジンハンガーＭ５を経てハンガーボルトＰ２でパワーユニットＥ１に枢支されており基本的にピボットボルトＰ１を中心としてパワーユニットＥ１に揺動している。この揺動するパワーユニットとフレームＦ１固定サイレンサーの位置を適正に保つ為パワーユニットＥ１にマウントＳ８で該ジョイント本体１を固定する。
ジョイント本体３を本体１に被せ本体１を軸とし回転させる事で揺動している力を吸収させている。
【０００７】
第２図は本マフラージョイントの取り付け正面図である。
エンジンＥ１から出た排気ガスは、２エキゾーストパイプを至り１吸気側マフラージョイント本体に送られる。１本体に溜まった排気ガスは、排気ポート４を経てサイレンサーＧに送られる構造である。
【０００８】
第３図は本マフラージョイントの１部切欠断面図である。２エキゾーストパイプを通り１マフラージョイント本体に入った排気ガスは、排気ポートＫ１から排気ポート４に抜ける際に一部１本体と３ジョイントとの隙間に入り込むがＣリングＲ１、Ｒ２によってシールされているので排気漏れはしない。ＣリングＲ１、Ｒ２は特性上外側に広がろうとするので、３ジョイント内壁に追従する結果ジョイント本体１側に僅かな隙間が出きＣリングＲ１、Ｒ２を軸とする事で３ジョイントが滑らかな回転を得られる。
【０００９】
【考案の効果】
上述のように本考案のユニットスウィング用マフラージョイントは、マフラー、サイレンサー等のレイアウト自由化に共ない、より大容量のサイレンサーを車体内部等に収める事が出来、排気騒音の低減を図れると共に後輪の脇が開放されるので、後輪の着脱作業が容易になる。さらに、コーナーリングの際のバンク角度確保にも貢献出来る。また、マフラージョイント本体が分解式の為、本体内部を点検し清掃する事が出来る。
【図面の簡単な説明】
【図１】本考案のユニットスイング式自動二輪用マフラージョイントの一実施例の取り付けに関する側面図である。
【図２】本マフラージョイントの取り付けに関する正面図である。
【図３】本マフラージョイントの一部切欠断面図である。
【図４】本マフラージョイントの動きに関する側画図である。
【符号の説明】
Ｆ１　車体フレーム
Ｐ１　ピボットボルト
Ｐ２　ハンガーボルト
Ｍ５　エンジンハンガー
Ｅ１　パワーユニット
２　　エキゾーストパイプ
８　　エキゾーストパイプ
Ｇ　　サイレンサー
Ｓ８　マウント
Ｒ９　マウントリング
１　　吸気側マフラージョイント本体
３　　排気側マフラージョイント
５　　スットッパーリング
Ｋ１　排気ポート
４　　排気ポート
Ｒ１　Ｃリング
Ｒ２　Ｃリング
【図１】
0003098209.tif 000003
【図２】
0003098209.tif 000004
【図３】
0003098209.tif 000005
【図４】
0003098209.tif 000006
(57)【要約】　　　（修正有）【課題】車輪が固定されているために車輪が邪魔となって屋根の上の雪下ろしには使用できないことやハンドルの長さが固定されていて場所によっては使いにくいといった重要な問題点を持つ除雪ダンプの構造を洗練し、工業的に量産可能なデザインにして簡便で使用感の良い車輪付き除雪ダンプを得る。【解決手段】伸縮調節できるＵ字型の伸縮ハンドル４を内包支持する２本のパイプ製のハンドル支持体３の先端の一部が曲げられて、その曲げられた先端パイプ部分が車軸と一体になった脱着車輪５のパイプ製の脱着車輪接続部１４を内包固定できるようになった脱着車輪接続パイプ９となり、さらにこの部分がダンプ本体２の側板１１に固定されてなる車輪付き除雪ダンプ。【選択図】　　　図１
0003098211.tif 000002
【実用新案登録請求の範囲】
【請求項１】
伸縮調節できるＵ字型の伸縮ハンドル（４）を内包支持する２本のパイプ製のハンドル支持体（３）の先端の一部が曲げられて、その曲げられた先端パイプ部分が車軸と一体になった脱着車輪（５）のパイプ製の脱着車輪接続部（１４）を内包固定できるようになった脱着車輪接続パイプ（９）となり、さらにこの部分がダンプ本体（２）の側板（１１）に固定されてなる車輪付き除雪ダンプ。
【考案の詳細な説明】
【０００１】
【産業上の利用分野】
本考案は、車輪付き除雪ダンプにかかるものである。
【０００２】
【従来の技術】
従来、車輪付き除雪ダンプは多種多様なものが考案されている。もともと、除雪ダンプは一度に比較的大量の雪を掬ったり押したりするものである。豪雪地帯では欠かすことのできない用具で、単にバケット様のものにＵ字型のパイプが装着されたものが多い。車輪付きは基本的にはこれらの除雪ダンプに運搬しやすいように車輪を装着したもので、ダンプ側面や底板部分に固定される。概してアイデア先行であり工業的に洗練されてものはほとんどなかったといえる。
【０００３】
【考案が解決しようとする課題】
従来の技術でも述べた様に、従来考案された各種の車輪付き除雪ダンプは車輪が固定されているので、車輪が邪魔となって屋根の上の雪下ろしには使用できないことやハンドルの長さが固定されていて場所によっては使いにくいといった重要な問題点があった。また、構造が幼稚であり工業的に量産可能な構造をなしていないのとデザインが悪くで実際に市場に出回ることがほとんどなかった。本考案はこのような問題を鑑みて、簡便で使用感の良い車輪付き除雪ダンプを広く提供するものである。
【０００４】
【課題を解決するための手段】
上記目的を達成するために、本考案における車輪付き除雪ダンプは、車輪が車軸ごと脱着できることが必要となる。これにより通常の除雪ダンプとしても使用可能となる。また、ハンドルとハンドル支持体はパイプ製で、ハンドルは長さを調節できるようにするためにハンドル支持体の中に入る寸法でなければならない。２本のハンドル支持体は別のパイプでＨ型に溶接を補強され、この横パイプにはさらに直角にパイプが溶接されていてダンプ本体の背板に接合できる。ダンプ本体と素早く脱着するために脱着車輪はパイプ製の車軸と一体化されており、かつハンドル支持体のパイプに収納されるために、車軸に対して直角のパイプ製の脱着車輪接続部を持つ。これらの脱着や伸縮するパイプを固定かつ調節するためにパイプに固定ねじを設ける。車輪は重い雪を乗せるので大きいものがよく、直径１２ｃｍ程度の空気入りタイヤもしくはこれに準ずる車輪を用いる。除雪ダンプ本体は幅４０ｃｍ、奥行５０ｃｍの概ね楔形の箱体で先端部は雪を掬いやすいように上向きに角度を付けてある。背板の高さは１８ｃｍから２０ｃｍ程度がよい。この除雪ダンプの両方の側板にハンドル支持体を固定するのだが、溶接が望ましい。ハンドル支持体の側板に固定する部分は１３５度程度の角度で曲げられており、この部分が脱着車輪のパイプを受け入れる。概ね地面とハンドル支持体及び伸縮ハンドルとがなす角度は４５度程度になるのが好ましい。このくらいの角度だと扱いやすいからである。ハンドルの伸縮は最大５０ｃｍ程度にする。車輪の位置はダンプ本体の奥行の３分の２程度になるようにする。ダンプ本体はアルミ合金の２ｍｍ板をプレスするか板金加工により形成されるが、切り口がナイフエッジにならないようにカーリングを施す。ダンプ本体とハンドル支持体の固定は側板と背板の３点ないし４点で行なわれる。アルミ合金パイプは直径が２５ｍｍと３０ｍｍのものを使用すれば強度的に安心である。調節ねじや固定ねじは既成の蝶ねじかハンドル付きのねじを利用する。
【０００５】
【作用】
以上のごとく考案された本考案の車輪付き除雪ダンプは軽量ながら強度もありしかも車輪が簡単に脱着できるのと、さらにはハンドルの長さをも変えることができるためにさまざまな除雪シーンに対応できる作用を有する。
【０００６】
【実施例】
実施例について図面を参照して説明する。
図１において、ダンプ本体２は例えば、厚さ２ｍｍ程度のアルミまたはジュラルミン板を用いて板金加工で浅いクサビ形状の箱体に仕上げる。溶接が望ましい。切り口部分はカーリング処理を行なう。ハンドル支持体３及び補強体１３は直径３０ｍｍ肉厚２ｍｍ程度のジュラルミンパイプまたはアルミパイプを用いて曲げ加工と溶接及び穴開けを施す。補強体１３の一端は潰してダンプ本体２の背板１２に接合しやすい様にしておく。伸縮ハンドルもジュラルミンまたはアルミパイプでハンドル支持体のパイプに入るような太さのものを用いて曲げ加工及び位置決め用に穴開け加工を施す。脱着車輪は車軸をハンドル支持体３と同様のパイプを用い、脱着車輪接続部１４には伸縮ハンドル４と同様の細いパイプを用い車軸１０と溶接するが、三角補強板を補強してもよい。車輪６は既成のタイヤを用いるが直径１２ｃｍ程度のゴムタイヤが望ましい。ハンドル支持体３とダンプ本体２とは両方の側板１１と背板１２に溶接する。伸縮ハンドル調節ねじ８と車軸固定ねじ７は共に太さ６ｍｍ程度のハンドル付きねじを用いる。ねじは剣先タイプが好ましい。
【０００７】
【考案の効果】
本考案は、上述の通り構成されているので、次に記載する効果を奏する。
【０００８】
請求項１記載の車輪付き除雪ダンプは構造が簡易ながら、脱着できる車輪を有するので小さな力で除雪作業を行なうことができ、しかも車輪を外せば屋根の雪下ろし作業などにも使用できる。さらにはハンドルの長さを調節できるので多様な除雪シーンにこの一台で対応できるという効果を発揮し有用である。しかも、量産するにも生産が容易で価格もやすくかつ、デザインもシンプルなので有用である。
【図面の簡単な説明】
【図１】車輪付き除雪ダンプの全体を示す斜視図である。
【符号の説明】
１　　車輪付き除雪ダンプ
２　　ダンプ本体
３　　ハンドル支持体
４　　伸縮ハンドル
５　　脱着車輪
６　　車輪
７　　車軸固定ねじ
８　　伸縮ハンドル調節ねじ
９　　脱着車輪接続パイプ
１０　車軸
１１　側板
１２　背板
１３　補強体
１４　脱着車輪接続部
１５　先端部
【図１】
0003098211.tif 000003
(57)【要約】　　　（修正有）【課題】既設路面上に最大粒径１３ｍｍの排水性舗装を施工厚さ２〜２．５ｃｍの薄層で構築する。【解決手段】ヒーター車で加熱し、路上表層再生機でかきほぐされた既設路面を下層に持ち、上層が施工厚２〜２．５ｃｍの最大粒径１３ｍｍの排水性舗装である２層舗装構造体。【効果】かきほぐし層に表層の排水性舗装下面の骨材が適度に食い込み、骨材のずれが起こりにくく、充分な締め固めが可能となる。【選択図】　図１
0003098212.tif 000002
【実用新案登録請求の範囲】
【請求項１】
既設路面をヒーター車で加熱し、路上表層再生機にてかきほぐした基層部に最大粒径１３ｍｍの排水性舗装を２〜２．５ｃｍで敷均し、同時転圧した薄層排水性舗装体。
【考案の詳細な説明】
【０００１】
【考案が解決しようとする課題】従来、最も一般的に使用されている最大粒径１３ｍｍの排水性舗装は、それを既設路面にそのまま施工する場合３ｃｍ未満の薄層での施工厚さは不可能であった。これは既設路面と排水性舗装部分が点で接触するため、薄層では骨材がずれやすく、充分に締め固めることができないという課題を有していた。
【０００２】
【課題を解決するための手段】上記目的を達成するために、既設路面をヒーター車で加熱し、路上表層再生機にてかきほぐし、同時に最大粒径１３ｍｍの排水性舗装を敷均し、転圧した２層構造体とした。
【０００３】
【考案の効果】上記手段により、かきほぐし層に表層の排水性舗装下面の骨材が適度に食い込み、骨材のずれが起こりにくく、充分な締め固めが可能となることにより低コストな薄層排水性舗装が可能となった
【図面の簡単な説明】
【図１】本考案の断面図である。
【符号の説明】
１　最大粒径１３ｍｍの排水性舗装
２　既設路面（かきほぐし層）
３　既設路面
【図１】
0003098212.tif 000003
(57)【要約】【課題】箸の先端部を球状にして、つまみ部を先端部より細くすることにより、料理をつまむのにゆっくりと時間を掛け、さらに一回につまめる量を少なくすることができるダイエット用箸を提供する。【解決手段】ダイエット用箸１０の先端部１は、球状をしており、イラスト、あるいは彩色が施されている。先端部１につながるつまみ部２は、先端部１の直径より細い径を有し、断面は円、または多角形である。長さは、先端部１とともに料理をつまめる最低必要となる長さ、例えば、約２ｃｍである。つまみ部２から延長された持ち代部３は、男性用、女性用など用途によって定められる所定の長を有し、断面は円、または多角形である。【選択図】　図１
0003098213.tif 000002
【実用新案登録請求の範囲】
【請求項１】
彩色、あるいは画を施した球状の先端部と、該先端部につながる所定の長さの、前記先端部の直径より細く、断面が円、または多角形のつまみ部と、該つまみ部から延長した所定の長さの、断面が円、または多角形の持ち代部からなることを特徴とするダイエット用箸。
【考案の詳細な説明】
【０００１】
【考案の属する技術分野】
本考案は、食事をとるにあたって一定の時間内での摂取量を減らし、ダイエットの効果を得ることができる食事用箸に関する。
【０００２】
【従来の技術】
従来、日本食や中華料理に用いられる食事用の箸は、長年の食習慣に合わせて、作られており、長さや太さから形体を見ると、非常に多くの種類のものがある。しかし、機能的には、料理をできるだけ掴みやすく、食事がし易い構造に主眼を置いて作られている。従って、一般的に箸を使うことによって食事を取る時間に影響するということは無い。
【０００３】
【考案が解決しようとする課題】
食事をしてから満腹感を感じるまでには、摂取量ではなく、個人差があるものの一定の時間間隔がある。従来の箸を使った場合、食事をし易い構造になっているため、満腹感を感じるまでの時間の間に必要以上の食事をとり、過剰な栄養を摂取してしまうことが多く、健康的な食生活やダイエットを望んでいる人にとって問題となる。
【０００４】
【課題を解決するための手段】
本考案は、上記の問題点を解決するため、箸の先端部を球状にして、つまみ部を先端部より細くすることにより、料理をつまむのにゆっくりと時間を掛け、さらに一回につまめる量を少なくすることによって食事の時間を長くして満腹感を感じるまでの食事の摂取量を制限することができるようにする。
【０００５】
【実施例】
以下、図面を参照して本考案の実施例について説明する。
図１はダイエット用箸１０の概念図であり、図２はつまみ部と持ち代部の断面図である。ダイエット用箸１０の先端部１は、球状をしており、図３（Ａ）に示すイラスト、あるいは図３（Ｂ）に示すように彩色が施されている。なお、先端部１は、正確な球状に限るものではなく、楕円体や球状の一部を平面にしたものでもよい。つまみ部２は、先端部１の直径より細い径を有し、断面は図２（Ａ）、（Ｂ）に示すように円、または多角形である。長さは、先端部１とともに料理をつまめる最低必要となる長さ、例えば、約２ｃｍである。持ち代部３の断面は、図２（Ａ）、（Ｂ）に示すように円、または多角形であり、男性用、女性用など用途によって所定の長さに定められる。
【０００６】
【考案の効果】
以上説明したように本考案のダイエット用箸は、先端部を球状にしてつまみ部を先端部より細くしているので、食事をとる場合、料理をゆっくりとつまむ必要があり、また、つまめる量も少ないため、食事を始めて満腹感を感じるまでに過剰に食事をとるということが無くなり、ゆっくりと時間を掛けた食事になることから、無理なくダイエット効果を得ることができる。さらに、食事を十分咀嚼できるペースで摂取するので、健康的な食生活に貢献できる。また、箸の先端部にダイエットを励ますイラストや楽しいイラストが施されているので、箸の使用者は、食事中にそのイラストを見て楽しくダイエットを実行することができる。
【図面の簡単な説明】
【図１】ダイエット用箸の概念図である。
【図２】つまみ部および持ち代部の断面図である。
【図３】先端部に施される画、あるいは彩色例を示す図である。
【符号の説明】
１　先端部
２　つまみ部
３　持ち代部
【図１】
0003098213.tif 000003
【図２】
0003098213.tif 000004
【図３】
0003098213.tif 000005
(57)【要約】【課題】装着することにより人体の仙骨を矯正する。【解決手段】人体の骨盤の周囲に巻装されるベルトにおいて、下腹部に当接される可撓性を有するパッド状の基板１の両側より伸縮性を備えた帯体１０Ａ、１０Ｂを延設し、これらの帯体は伸長状態において骨盤の背面の仙腸関節箇所において帯体同士がＸ字条に交差する状態で骨盤周囲を一周して、先端が下腹部に位置する上記基板に達する長さに構成されると共に、基板と帯体には互いを任意の位置で係着する係着部材２、１３Ａ、１３Ｂが設けられる。【選択図】　　　図１
0003098217.tif 000002
【実用新案登録請求の範囲】
【請求項１】
人体の腰部の骨盤箇所の周囲に巻装されるベルトにおいて、下腹部に当接される可撓性を有するパッド状の基板の両側より伸縮性を備えた帯体を延設し、これらの帯体は伸長状態において骨盤の背面の仙腸関節箇所において帯体同士がＸ字条に交差する状態で腰部の骨盤周囲を一周して、先端が下腹部に位置する上記基板に達する長さに構成されると共に、基板と帯体には互いを任意の位置で係着する係着部材が設けられることを特徴とする仙骨矯正用ベルト。
【請求項２】
基板と帯体に設けられる係着部材はベルベットファスナーである請求項１記載の仙骨矯正用ベルト。
【請求項３】
基板の人体側には遠赤外線を放射する物質を配した請求項１又は２記載の仙骨矯正用ベルト。
【考案の詳細な説明】
【０００１】
【考案の属する技術分野】
この考案は、装着することにより人体の仙骨を矯正する作用を生じるベルトに関する。
【０００２】
【従来の技術】
人体の骨盤は、腸骨、恥骨、仙骨から構成されており、その中心に存し背骨を支える作用をなす仙骨はその両側に存する腸骨とで仙腸関節を形成している。この場合、何らかの原因により仙腸関節及び仙骨に歪みやずれが生じることにより、腰椎椎間板ヘルニア等による慢性腰痛、縫工筋等を介する膝の内側の痛み、肩凝り、背中の痛み、頭痛、眼圧上昇による眼球痛、脳下垂体ホルモンのバランスの崩れによる不定愁訴、ギックリ腰をおこしやすくなる、手、腕に力が入らなくなり、足が遅くなる、前立腺に間題が起こる、卵巣・子宮など婦人科系の病気にかかりやすくなる等の種々の症状や疾病を招来するといわれている。
【０００３】
一方、骨盤の全体を矯正するための用具として図８に示すようなベルトが公知であった。このベルトは伸縮性の生地により構成され、人体の骨盤の周囲に巻装されることにより骨盤を絞り込むように作用する。
【０００４】
【考案が解決しようとする課題】
しかしながら、前記のベルトは骨盤の動きを抑制する効果はあっても仙腸関節及び仙骨の歪みやずれを矯正する効果は無かった。何故ならば、図８において矢印で示すように、前記のベルトは腰から腹部にかけて前面に絞り込むので、仙腸関節を左右に引っ張って拡張するように作用するからである。又、骨盤の動きを抑制しようとして強く締め付けると、仙骨を圧迫したり、血液循環を損なうという弊害も生じた。
【０００５】
【課題を解決するための手段】
この考案は以上の従来技術の問題点に鑑みて創作されたものであり、装着することにより仙骨を矯正する作用を生じるベルトを提供することを目的とする。即ち、この考案のベルトは人体の腰部の骨盤箇所の周囲に巻装されるベルトにおいて、下腹部に当接される可撓性を有するパッド状の基板の両側より伸縮性を備えた帯体を延設し、これらの帯体は伸長状態において骨盤の背面の仙腸関節箇所において帯体同士がＸ字条に交差する状態で腰部の骨盤周囲を一周して、先端が下腹部に位置する上記基板に達する長さに構成されると共に、基板と帯体には互いを任意の位置で係着する係着部材が設けられることを特徴とする。
【０００６】
【考案の実施の形態】
以下、この考案の具体的実施例を添付図面に基づいて説明する。図１及び図２はこの考案のベルトの一実施例を示す図である。図中符号１は下腹部に当接されるパッド状の基板であり、ここでは布等の可撓性を有する素材により構成されると共に、人体側には例えばトルマリンを包含したシート４等の遠赤外線を放射する物質が配される。尚、図中符号３は上記のシート４をカバーするためのネットである。
【０００７】
上記の基板１の両端には左右の帯体１０Ａ、１０Ｂが延設される。これらの帯体１０Ａ、１０Ｂは伸縮性を備えており、ここではそのための手段として帯体の中途にゴムやゴムを縫い込んだ生地からなる伸縮部材１１Ａ、１１Ｂを介在させている。上記の帯体１０Ａ、１０Ｂは伸長状態において人体Ｍの骨盤の背面の仙腸関節箇所において帯体同士がＸ字条に交差する状態（図３参照）で骨盤周囲を一周して、先端が下腹部に位置する前記の基板１に達する長さに構成される（図４参照）。
【０００８】
以上の基板１と帯体１０Ａ、１０Ｂには互いを任意の位置で係着する係着部材２と１３Ａ、１３Ｂが設けられ、ここでは係着部材としてベルットファスナーを採用している。又、帯体１０Ａ、１０Ｂにはそれらを基板１と係着するための裏側の係着部材１３Ａ、１３Ｂの他に、人体に対してベルトが長すぎて帯体端が余った場合に帯端同士を係着するための表側の係着部材１２Ａ、１２Ｂが設けられる。
【０００９】
以上の構成よりなるベルトは、基板１を人体Ｍの下腹部に当接すると共に、左右の帯体１０Ａ、１０Ｂを背面側に延長し（図５参照）、骨盤の背面の仙腸関節箇所において帯体同士がＸ字条に交差する状態で骨盤周囲を一周させ（図６及び７参照）、先端を基板に係着させることにより使用に供される。
【００１０】
【考案の効果】
従来技術のベルトにおいてはベルト全体で骨盤周囲を１周するのみであるが、この考案においてはベルト全体では骨盤周囲を２周すると共にその起点は下腹部に当接される基板であり、この基板から互いに反対方向に巻装される点が従来技術に対しこの考案を特徴付ける最大のポイントである。これにより、この考案のベルトにおいては、仙腸関節部分でベルトを交差させることにより、両サイドから仙腸関節を内側に引き締める作用を生じ、仙骨を中央位置に矯正する効果を奏することになる。
【００１１】
又、骨盤は加齢と共に、外側に広がり、それに伴い内蔵臓器も下に下がってきて腹部が突き出すこととなるが、この考案のベルトを装着することにより骨盤の仙腸関節を内側に引き締めるので、内蔵臓器が下がってくる現象により下腹部が突き出す状態も正すことが可能となる。
【図面の簡単な説明】
【図１】この考案のベルトの平面図。
【図２】同上、底面図。
【図３】この考案のベルトの人体への装着状態を示す背面図。
【図４】同上、正面図。
【図５】この考案のベルトの人体への装着方法を示す正面図。
【図６】同上、背面図。
【図７】同上、正面図。
【図８】従来技術のベルトの人体への装着状態を示す背面図。
【符号の説明】
１　　　　基板
２　　　　係着部材
４　　　　遠赤外線を放射する物質
１０Ａ　　帯体
１０Ｂ　　帯体
１３Ａ　　係着部材
１３Ｂ　　係着部材
【図１】
0003098217.tif 000003
【図２】
0003098217.tif 000004
【図３】
0003098217.tif 000005
【図４】
0003098217.tif 000006
【図５】
0003098217.tif 000007
【図６】
0003098217.tif 000008
【図７】
0003098217.tif 000009
【図８】
0003098217.tif 000010
(57)【要約】　　　（修正有）【課題】人体の電場を改善し、血液の循環を促進し、快適な感触の絨毯の提供。【解決手段】絨毯は糸束３１をもつ糸束層３を第一層に設置し、第二層には柔らかな発泡層４を設置し、発泡層４には連続したうねりをもうけ均一に分布した溝４１があり、溝４１の中には電熱線５が分布して置かれており、電熱線５の連続したうねりの後の導線末端は一つのコントローラ６に接続し、コントローラ６は電力源の場所に接続し、そして、発泡層４の裏側に第三層のスポンジ７及び第四層の滑り止め布を敷き、最後に、第一、第二、第三、第四層を粘着剤で貼り合わせ、絨毯の縁にミシンで縁取りを施し、その内、第三層のスポンジ７には溝４１の中を埋める電熱線５を置いてからできた隙間があり、滑り止め布には絨毯を床に置いた時に滑り止めの効果がある。【選択図】　図３
0003098287.tif 000002
【実用新案登録請求の範囲】
【請求項１】
一種の電位、温熱効果をもつ絨毯で、糸束のある糸束層及び発泡層を上下に貼り合わせてできたもので、その特徴は、絨毯裏側の発泡層に連続したうねりがあり均一に分布した溝を開設し、溝の中に電熱線を置き、その電熱線は同時にコントローラから高電圧、低電流の電位パワーを施され、人体が柔らかで快適な絨毯を踏んだ時、快適な感触をもつ以外に、人体の足にも温暖さをもたらし人体を微細に震動させ、血液循環を促進する健康の目的にある。
【請求項２】
請求項１で述べた電位、温熱効果のある絨毯は、その内、その発泡層の下部に一つのスポンジ及び一つの滑り止め布を貼り合わせて敷くことができ、溝の中に電熱線を置いてからできた隙間を埋めるだけでなく、絨毯を床に置いた時の滑り止めの効果もある。
【考案の詳細な説明】
【０００１】
【考案の属する技術分野】
本考案は一つの絨毯の裏側に連続したうねりを均一に分布させた電熱線が敷かれており、電熱線が高電圧、低電流の電位パワーをかけられると、人体に微細な震動を生み出し、人体の電場を改善し、血液の循環を促進し、絨毯が快適な感触、温熱及び健康といった多くの効果を達成するもの。
【０００２】
【従来の技術】
現代人の生活レベルは日増しに高くなり、家庭での品質も同様に要求が高くなり、よって、忙しい一日の後で、家に着いてから気持ちをリラックスさせることができるかどうかは、当然快適な居住スペースがあるかどうかに関係し、特に、私たちが両足の靴を脱いでから、両足で柔らかで快適な地面の上を踏むと、一日の疲れも完全に消え去り、緊張が解けるため、「絨毯」のような製品が産まれた。
【０００３】
よって第１図に示すように、一般的な従来の絨毯の構造は、その内一つの糸束１１をもつ主層１から上層に設置し、下層には柔らかな特性の発泡層２を設置し、そして粘着剤で主層１と発泡層２を貼り合わせ製品として完成する。よって人体は両足で、柔らかで快適な絨毯を踏むことができ、一日の疲れを完全に消し去り、緊張を取り除くことができるが、考案者の長年に渡る観察により、絨毯は機能上、重大な突破口がなく、絨毯の糸束に若干の模様、図案の変化または材質の改良がされているのみであることを発見し、天候の変化が起こった場合、従来の絨毯では天候の変化に対応し、より快適または人体に有益な機能を提供することはできず、例えば、寒い冬がやってきた時、ある人は手脚が冷たく感じ、しかも厚くて重い服を着てもまだ冷いと感じ、その原因は血液循環の不良と関係があり、人体の脚部に温熱を感じさせることができれば、寒い感じはせず、しかも人体の血液循環を促進することができ、人体の健康に有益である。
【０００４】
【考案が解決しようとする課題】
そこで、本考案は絨毯裏側の発泡層に連続したうねりを設け、均一に分布した溝を設け、溝の中に同時に高電圧、低電流の電位パワー及び加熱作用をかけることができる電熱線を分布させて置き、そして発泡層の裏側にスポンジ及び滑り止め布を敷いてから、人体が柔らかで快適な絨毯に踏んだ場合、快適な感触をもつだけでなく、人体の足に温暖さ及び人体に対して生み出される微細震動をもたらすことができ、血液循環の流動を促進するものである。
【０００５】
また、本考案はいつでもどこでも人体に対し温熱及び健康の効果を与えることができ、応接間、寝室、リビングルームに敷くことも、また勤務する事務所に敷くこともでき、よって休憩、移動、テレビ視聴、及び勤務時間において、すべて柔らかで快適な踏んだ感触をもたらすことができるだけでなく、足に自然な暖かさを感じ取らせ、血液循環を促進させることができ、現代人の忙しい時、またはレジャー、休憩時にも健康への配慮ができるという目的に適合している。
【０００６】
【考案の実施の形態】
第２図から第４図の示すように、その内、絨毯は糸束３１をもつ糸束層３を第一層に設置し、第二層には柔らかな発泡層４を設置し、発泡層４には連続したうねりをもうけ均一に分布した溝４１があり、溝４１の中には電熱線５が分布して置かれており、電熱線５の連続したうねりの後の導線末端は一つのコントローラ６に接続し、コントローラ６は電力源の場所に接続し、そして、発泡層４の裏側に第三層のスポンジ７及び第四層の滑り止め布８を敷き、最後に、第一、第二、第三、第四層を粘着剤で貼り合わせ、絨毯の縁にミシンで縁取りを施し、その内、第三層のスポンジ７には溝４１の中を埋める電熱線５を置いてからできた隙間があり、滑り止め布８には絨毯を床に置いた時に滑り止めの効果がある。
そして、人体が柔らかで快適な絨毯を踏んだ時、快適な感触があるだけでなく、絨毯内の電熱線５によってコントローラ６の制御を受けて生み出された熱エネルギーが、絨毯を踏む人に熱を伝え、使用者の足に自然な暖かさを感じさせることができ、特に寒い冬には、更に身体を充分にリラックスさせ、足から全身にかけて温かさを保つことができ、特に冷え性または血液の循環の良くない人には更に使用に適している。かつ電熱線５に同時に高電圧、低電流の電位パワーを与えることができ、人体に微細な震動を生みだして、細胞自身の生命力及び浸透性を向上させる効果があり、電圧の転換を通じて負の電場を生みだし、酸性化した人体に作用し、人体の電場に影響を及ぼし、体内のプラス、マイナスイオンの分布を変化させ、血液循環の流れを促進し、汚れて濁った血液を身体に有益な弱アルカリ性の血液に転換し、ストレスによって酸性化した体内環境を弱アルカリ性に調整し、身体の抵抗力を向上させ、免疫システムを強化する。
【０００７】
【考案の効果】
上に述べたことをまとめると、本考案は絨毯にあるべき柔らかで快適な感触を保つだけでなく、人体の足にも温暖さ及び高電圧、低電流の電位パワーの効果をもたらし、血液循環を促進し、いつでもどこでも人体に温熱及び健康の効果を施すことができ、実に周知の絨毯とは比べものにならず、よって本考案は実用新案の要件に適合し、進歩性をもち、実用新案法の規定に達しており、貴審査委員から早期に実用新案登録を賜るようことを願う。
【図面の簡単な説明】
【図１】周知の絨毯の断面見取図。
【図２】本考案の立体分解見取図。
【図３】本考案の断面見取図。
【図４】本考案の上から見た見取図。
【図１】
0003098287.tif 000003
【図２】
0003098287.tif 000004
【図３】
0003098287.tif 000005
【図４】
0003098287.tif 000006
(57)【要約】【課題】この考案の課題は、女性の携帯電話収納場所に限界がありすばやく取り出せないバッグやカバンの中であったり極端に手で持って歩いている場合も多いことから、男性服と違って機能的にできていない女性服の欠点を克服して収納場所を確保し機能性と装飾性を兼ね備えた携帯電話ケースを提供することである。【解決手段】携帯電話ケースを利き腕の反対側の上腕に取り外し可能なベルトで装着、ペンダントのようにチェーンや飾り紐などで下げたあとピンで衣服に固定して装着、ピンとクルップで衣服に固定し装着、以上携帯電話ケース収納場所３種類を１セットで確保する。特に折り畳み式の携帯電話はコンパクトで軽量であることから、携帯電話ケースを装飾品として身につける事が出来る。この考案では携帯電話が上腕や衣服上にあるので片手ですばやく取り出せ、色やデザインの変化で女性の携帯電話収納機能を広げる。【選択図】　図１
0003098266.tif 000002
【実用新案登録請求の範囲】
【請求項１】
携帯電話ケースを取り外し可能なベルトで上腕に装着、携帯電話ケースにチェーンあるいは飾り紐を取り付け首から下げて更にピンで衣服に固定して装着、携帯電話ケースを固定ピンとクリップで衣服に装着。以上３タイプの用途が１セットで可能な携帯電話ケース。
【考案の詳細な説明】
【０００１】
【考案の属する技術分野】
この考案は携帯電話ケースに属する
【０００２】
【従来の技術】
従来の携帯電話ケースはカバンやベルトに取付けるタイプや、携帯電話そのものを直接保護する目的で作られている携帯電話カバー、手首に装着する腕携帯電話ケース、人形あるいはぬいぐるみの形状をした携帯電話カバー等が考案されている。
【０００３】
【考案が解決しようとする課題】
この考案の課題の要因は、様々な携帯電話ケースが存在しているにもかかわらず特に女性の携帯電話の収納場所がバッグやカバンの中で、いざという時用をなさなかったり、それが故に手で握りしめて歩いている人も見受けられることにある。これは、男性服がバッグの用を為すくらい実用的に作られていて携帯電話の収納場所には困らないのに対し、女性服は主にファッションを重視して作られているため収納機能部分は最小限度しか付いていないことが要因と思われる。
そこで、この考案は女性の携帯電話収納場所の範囲が限られている不便さを課題として、それを解決するための携帯電話ケースを提供することである。
【０００４】
【課題を解決するための手段】
上記の課題を解決するための手段として、まず機能的であるために場所を特定すると、利き手の反対側の上腕あるいは体の前部の衣服に携帯電話があれば素早く取り出すことができる。次に装飾性を考えれば、折り畳み式の携帯電話ならコンパクトで軽いことから様々な色やデザイン、素材で携帯電話ケースを作れる無限の可能性がある。
【０００５】
【考案の実施の形態】
女性の春夏秋の服装は全体的に薄着である事から携帯電話ケースを直接腕に装着する場合も考えられる。更に上腕の周囲のサイズが多様であり、動きが激しい場所である為にしっかりとしかもやさしく固定する必要がある。体の前部の衣服につける場合やペンダントのように首にかけて装着する時も動作により不安定にならない工夫が大切な要件である。そこで、この考案の実施の形態を添付図面に基づいて説明する。図２の３重構造になった背板のＡ．裏側の仕様として、取り外し可能な上腕ベルト装着用の１．付属部品を左右に付け、上部中心点に紐やチェーンを取付けるための２．付属部品を付け、ペンダントのようにチェーンで首から下げる時に携帯電話の重量を分散させ安定させる為に衣類に固定する３．ピンを取付けた。図２のＢ、背板の表側の仕様として携帯電話ケースの開閉用に４、マジックテープを取付けた。従来の携帯電話ケースやポケットは下から上に向かって開閉するが、上から下に向かって開閉した方が開いた部分がかぶさって来ず携帯電話がすばやく取り出せる。図２のＣ、背板の芯で携帯電話ケースを安定させる。ふたの先端には６，マジックテープの片方を取付けた。図１の７、上腕用ベルトの素材は伸縮性があり８，マジックテープで止める布製のものを使用した。図１の９，チェーンあるいは飾り紐には携帯電話ケースに取付け可能な１０、付属部品を付けた。図１の１１，衣服取付用クリップは図２の３、衣服固定用ピンと共に図１の両端部分と３カ所で衣服に固定させる。以上、装着形態から見るとアーム式、ペンダント式、ポケット式の３タイプの使用方法が可能な携帯電話ケースである。
【０００６】
【実施例】
【０００７】ひまわりの花のデザインで携帯電話ケースを作成する。図１の基本となる円を花の種子部分とし、背板と保護カバーを作る。全体的に５ミリの余裕をもたせ、こげ茶色を使用して上記の実施の形態に従って作成した。黄色の花びら部分は背板の裏側に縫い込んだ。ベルトは茶系の色を使用し、チェーンはくすんだ金色を使った。黄色のカラークリップを使用。
【０００８】ハート型の携帯電話ケースを作成する。図１の基本となる長方形がハート型の中に収まるようにして上方に２０ミリの余裕をもたせ、オレンジ色の携帯電話ケースを作成。最後に白のレースで周りを縁取った。ベルトは同色で、チェーンは白銀色を使った。透明なクリップを使用。
【０００９】
【考案の効果】
上腕や衣服に携帯電話があると片手ですばやく取り出せる事、色やデザインの変化でファションとしての携帯電話ケースには無限の可能性があることで、この考案の機能性と装飾性は女性の携帯電話収納場所を新たに確保した。
【図面の簡単な説明】
【図１】本考案の携帯電話ケースを示した正面図である。
【図２】本考案の携帯電話ケースの背板と保護カバーとフタを示した断面図である。
【符号の説明】
Ａ　背板の裏地
Ｂ　背板の表地
Ｃ　背板の芯
Ｄ　携帯電話
１　上腕ベルト装着用付属部品２個
２　チェーン、紐取付用付属部品
３　衣服固定用ピン
４　フタの開閉用マジックテープ
５　開閉用フタ
６　フタの開閉用マジックテープ
７　ベルト
８　ベルト調節用マジックテープ
９　チェーン又は紐
１０　チェーン又は紐取付け用付属部品
１１　衣服取付用クリップ
１２　保護カバー
【図１】
0003098266.tif 000003
【図２】
0003098266.tif 000004
(57)【要約】【課題】グローランプ式蛍光灯を、個々に開閉できるようにする。【解決手段】グローランプ部２に開閉器部３を付加し、個々の蛍光灯の開閉ができるようにした。【選択図】　図２
0003098265.tif 000002
【実用新案登録請求の範囲】
【請求項１】
グローランプ部２に開閉器部３を付加し、蛍光灯の開閉を個々に行うことができるようにしたグローランプ。
【考案の詳細な説明】
【０００１】
【考案が解決しようとする課題】
従来、複数個の蛍光灯を有する照明器具または装置は、その開閉を１個の開閉器で行っている場合、そのうちの１個を点灯させれば十分であるような場合も、その開閉器に接続された全ての蛍光灯が点灯してしまう問題を有していた。
【０００２】
【課題を解決するための手段】
上記問題を解決するために、グローランプ式蛍光灯のグローランプ部に開閉器部を付加することにより、個々の蛍光灯の開閉ができるようにした。
【０００３】
【考案の効果】
開閉器付グローランプは、新設器具又は装置だけでなく、既設器具又は装置にも使用できるため、特に昼間の省エネルギー対策として、有効である。
【図面の簡単な説明】
【図１】開閉器付グローランプ２例の立面図である。
【図２】開閉器付グローランプの回路図である。
【符号の説明】
１　ソケット部の例
２　グローランプ部
３　開閉器部
４　開閉器を操作するひも
【図１】
0003098265.tif 000003
【図２】
0003098265.tif 000004
(57)【要約】【課題】この考案は、スケート靴コブ出し機のＴ型ハンドル部分の直径を２ｃｍ以上にして長さを１５ｃｍ以上のパイプにし、且つ、Ｔ型ハンドルネジの下部部分に楕円型リングや円筒型の金型を交換できるようにする。且つ、凹型の金型の深さを浅くしてフレキシブルに装着できるようにする。且つ、基体の下部部分の金型の取付け部分にＴ形と半球形の金型を交換できるようにする。【解決手段】スケート靴コブ出し機のＴ型ハンドル部分２の直径を２ｃｍ以上にして長さを１５ｃｍ以上のパイプにし、且つ、Ｔ型ハンドルネジ２の下部部分に凹型の楕円型リング８と円筒型４の金型をフレキシブルに取付けられるようにし、且つ、凹型の楕円型リング８と円筒型４の金型の上部部分にクランプ６を設けて金型を交換できるようにし、且つ、凹型の金型の深さを浅くしてフレキシブルに動くようにし、且つ、基体１の下部部分の金型の取付け場所に凸型のＴ形９と半球形５の金型を交換できるようにした。【選択図】　図１
0003098269.tif 000002
【実用新案登録請求の範囲】
【請求項１】
Ｔ型ハンドルネジ２の下部部分に凹型の金型及び基体１の下部部分に凸型の金型を設けたスケート靴コブ出し機において、前記の凸型及び凹型の金型を交換できることを特徴とするスケート靴コブ出し機。
【考案の詳細な説明】
【０００１】
【考案が解決しようとする課題】
考案のスケート靴コブ出し機は金型部分を交換することで、さまざまな形状に対応することが可能である。ここでは丸型及び楕円型を作る場合についての例として述べる。従来のスケート靴コブ出し機は、Ｔ型ハンドル部分が細くて短かったためＴ型ハンドルネジが廻しにくく手を傷めることもあった。且つ、Ｔ型ハンドルネジ下部部分と接触する円筒型の金型が分離していたため設定がむずかしかった。且つ、凹型の円筒型の金型が深すぎてスケート靴の革の部分が切れることもしばしばあった。且つ、基体の下部部分の金型が固定式で凸型の球形のみで他の金型に交換できないという問題点を有していた。
【０００２】
【課題を解決するための手段】
上記の目的を達成するために、Ｔ型ハンドル部分２の直径を２ｃｍ以上にして、長さを１５ｃｍ以上のパイプにすることで廻しやすくし、Ｔ型ハンドルネジ２の下部部分に凹型の楕円型リング８と円筒型４の金型をフレキシブルに取付けられるようした。且つ、凹型の楕円型リング８と円筒型４の金型の上部部分にクランプ６を設け、且つ、凹型の金型の深さを浅くして交換できるようにし、フレキシブルに動くようにした。且つ、基体１の下部部分の金型の取付け場所に凸型のＴ形９と半球形５の金型を交換できるようにした。
【０００３】
【考案の効果】
したがって、Ｔ型ハンドル部分を長く太いパイプにしたことで、廻しやすく手を傷めずに使用できる。且つ、スケート靴コブ出し機のＴ型ハンドルネジの下部部分に凹型の楕円型リングや円筒型の金型を自由に交換してフレキシブルに使用できる。且つ、基体の下部部分の金型の取付け場所に、凸型のＴ形と半球形の金型を交換することで、スケート靴の用途にあった適切な場所に革を傷めずに簡単で綺麗にコブ出しができる。
【図面の簡単な説明】
【図１】本考案のスケート靴コブ出し機の構造図。
【図２】スケート靴コブ出し機の基体部分図。
【図３】Ｔ型ハンドルネジ部分図。
【図４】スケート靴コブ出し機の凹型の円筒型と凸型の半球形の金型部分図。
【図５】スケート靴コブ出し機の凹型の楕円型リングと凸型のＴ形の金型部分図。
【図６】従来型のスケート靴コブ出し機の構造図。
【符号の説明】
１　基体
２　Ｔ型ハンドルネジ
３　スケート靴
４　凹型の円筒型の金型
５　凸型の半球形の金型
６　クランプ
８　凹型の楕円型リングの金型
９　凸型のＴ形の金型
１０　凸型の球形の金型
【図１】
0003098269.tif 000003
【図２】
0003098269.tif 000004
【図３】
0003098269.tif 000005
【図４】
0003098269.tif 000006
【図５】
0003098269.tif 000007
【図６】
0003098269.tif 000008
(57)【要約】　　　（修正有）【課題】バイパス解錠、サムターン回し解錠に対し、防犯機能を高める。【解決手段】シリンダー錠の屋内側の施・解錠の操作部の形状を従来の板型抓み形状から丸型ノブ形状１に変えるとともに、弾性のある爪４付き略円筒型金属製カバー３を装着し、外部からの犯罪工具等による解錠を不可能にするものである。また、握ることによる回転をしやすくするため丸型ノブの円周部に筋を入れるとともに、施・解錠の状態が知見できるように色付の太線５を刻印したものである。【選択図】　　　図１
0003098267.tif 000002
【実用新案登録請求の範囲】
【請求項１】
ドア内側のサムターンの回転操作部の形状を丸型ノブにし、その円周に滑り止め筋を刻印するとともに、該丸型ノブに回動自在の爪付き略円筒型金属製カバーを装着したシリンダー錠
【考案の詳細な説明】
【０００１】
【考案の属する技術分野】
本考案は、シリンダー錠の形状に関するものである。
【０００２】
【従来の技術】
指（サム）で抓んで回す形状であった。
【０００３】
【考案が解決しようとする課題】
従来のシリンダー錠では、犯罪者がドアに強制的に穴をあけるなどして、板状抓み操作部（サムターン）に外部から犯罪道具を引っ掛けて、錠の抓み操作部を回転させ、デッドボルトをはずし、ドアを開けることができた。この方法による不正解錠防止機能を高めるものである。
【０００４】
【課題を解決するための手段】
上記課題を解決するとともに操作を容易・確実にするために、
▲１▼施錠／解錠操作部の形状を従来の板型抓み操作部から、丸型ノブ操作部とし、回動自在で弾性のある爪付き金属製略円筒型カバーを装着する。
▲２▼丸型ノブ操作部の握り部分の円周全体に、滑り止めの筋を入れ、金属製カバーを握ることにより、爪が機能してノブ本体の回転が可能となる形状とする。
▲３▼施錠／解錠の状態が目で確認できるよう、色付の太線で刻印し、状態確認の確実性を高める。
【０００５】
【考案の実施の形態】
従来の板状抓み部を丸型ノブ１に変え、内側に滑り止めの爪４を付けた略円筒型カバー３を装着し、握らないときは回動自在となる。該丸型ノブの円周に筋２を刻印してあるので握ったときには回転軸が回転する。また、解錠と施錠の状態は、丸型ノブ正面に太線で刻印５することにより知見できる。
【０００６】
【考案の効果】
操作部を丸型のノブ形状とし、回動自在の金属製カバーを着装することにより、屋外から犯罪用道具などでは、シリンダー錠の回転軸を回転させることができなくなる。
このことにより、増大しているバイパス解錠とかサムターン解錠と言われる家屋侵入の犯罪を防止できる。最近、この犯罪防止のため、キャップ方式や固定型蝶番方式あるいは進退動作による回転自在サムターン等の対策品が考案されているが、確実性の問題や操作性に問題がある。本考案は、確実性、操作性において十分に耐えられるものである。
【図面の簡単な説明】
【図１】サムターンの板型抓み形状を変えた丸型ノブについて、ドアに取り付けられた側面図（カバーは透視で表示）及び解錠（左側）と施錠（右側）の状態の正面図である。
【図２】略円筒型カバーと該カバーに付く爪の状態をあらわす立体図と正面図である。
【図３】従来の参考図である。
【符号の説明】
１　丸型ノブ
２　ノブ円周の刻印
３　略円筒型金属製カバー
４　爪
５　施・解錠確認の太線刻印
【図１】
0003098267.tif 000003
【図２】
0003098267.tif 000004
【図３】
0003098267.tif 000005
(57)【要約】【課題】電気用品コンセント器具の未対策品の刃受け穴より塵埃などが侵入し堆積し不虞の事故を発生することを未然に防止する防塵粘着シールを提供する。【解決手段】電気用品コンセント器具（１）の刃受け穴（３）より塵埃等の侵入を防止するため柔軟性のあるシール（４）に接着剤（６）を塗布した、粘着シールをコンセント器具（２）の位置に貼付してシール（４）のカット穴（５）が密着し塵埃等の侵入を防止する。【選択図】　　　図１
0003098244.tif 000002
【実用新案登録請求の範囲】
【請求項１】
ゴム又は柔軟性樹脂などの材質をシール形状（４）にし、コンセント器具（１）の刃受け穴（３）の位置に直線カット（５）を２個もうけシール（４）をコンセント器具（２）の位置に片面粘着性（６）のあるシール（４）を貼付する防塵粘着シール。
【考案の詳細な説明】
【０００１】
【考案の属する技術分野】
本考案は、柔軟性のシール形状にカット穴を直線切り込みの貫通とし、差込プラグ器具をコンセント器具から抜いて未使用の時は防塵粘着シールの切口は弾性により元にもどり切口は密着閉鎖され塵埃等がコンセント器具の受け穴えの侵入を防止する、又防塵粘着シールを固定するためシールの片面（図１−６）に接着剤を塗布する。
【０００２】
【従来の技術】
電気用品の中には、防塵装置のないもの及び内蔵型防塵装置の製品があるが、防塵装置のない器具は、コンセント器具の刃受け穴が解放されているため塵埃がコンセント器具内に入り込み湿度を吸収し絶縁不良、発火などの危険性がある、又防塵装置付きの器具は、主として装置が内蔵された構造となっている物が多く劣化、損傷などした時、分解、組立ての技能がないと交換できない、その場合初期目的である防塵対策効果が低下する。
【０００３】
【考案が解決しようとする課題】
上記を解決するために本考案は技能が無くても防塵粘着シールを容易に貼付、又貼替えが出来るように、シール形状にしてコンセント器具の分解などを必要としない、容易な外部貼り付けとし、防塵対策維持が確保できるようにした。
【０００４】
本考案は、シール形状の粘着方式で外部より貼付け可能のため現在使用している器具にも装着が容易に出来て安価であることを目的としている。
【０００５】
【課題を解決するための手段】
現在の電気用品コンセント器具は防塵装置未使用品が主流を占めている、従ってこの防塵粘着シールを装着し、塵埃が要因となる絶縁不良、発火などの不虞の事故を防止することが出来る。
【０００６】
【考案の実施の形態】
ゴム及び柔軟性樹脂などの材質は、長期間の使用で劣化し使用目的をはたさなくなる可能性もあり、長期使用で劣化又は損傷した物は古い防塵粘着シールをはがし、新しい物と張り替えが必要となる。
【０００７】
【実施例】
実施例は、図１コンセント器具（１）の（２）の位置に柔軟性粘着シール（４）を貼り付けて、コンセント器具の刃受け穴（３）に入る塵埃を防止する。防塵粘着シール（４）貼りの位置決めは防塵粘着シール（４）の接着なし面（５）の上部より差込プラグ器具の刃を差込み、コンセント器具（３）に差し込めば位置決めが容易に出来て貼りつけられる。
【０００８】
【考案の効果】
本考案は、コストも安く、技術技能を要せず簡単に装着でき劣化損傷しても容易に交換出来る防塵予防向上を実施可能にした。
【図面の簡単な説明】
【図１】コンセント器具と装着する防塵粘着シール図を示す。
【図１】
0003098244.tif 000003